(57)【特許請求の範囲】
【請求項１】
鋼製の屋根梁上に屋根パネルを支持してなり、前記屋根パネルが、複数本の平行な鋼製のフレーム材上に屋根葺材と断熱材と防水シートとを設けてなる屋根構造における前記屋根パネルと屋根梁との接合構造であって、
前記屋根パネルの各フレーム材は対応する屋根梁に沿って配置されて、これらの屋根梁上に位置し、前記屋根パネルの少なくとも一部において、この屋根パネルの前記フレーム材が前記屋根葺材よりも突出し、この屋根梁の上面および前記フレーム材の前記屋根葺材よりも突出した部分の下面に、それぞれ側方に突出して互いに重なる梁側取合金物およびパネル側結合片を設け、これら互いに重なる取合金物間に渡って挿通されたボルトにより、前記屋根パネルと前記屋根梁とを接合したことを特徴とする屋根パネルと屋根梁との接合部構造。
【請求項２】
請求項１において、前記梁側取合金物に、上方へ突出して前記屋根パネルの前記フレーム材の位置ずれを阻止するずれ止め材を設けた屋根パネルと屋根梁との接合部構造。
【請求項３】
請求項１または請求項２において、前記屋根葺材がデッキプレートであって、その波山の並び方向が前記フレーム材と直交する方向とされ、前記フレーム材が前記デッキプレートの縁から突出し、このフレーム材の突出部分に、吊り索のフックを係合させる吊孔を設けた屋根パネルと屋根梁との接合部構造。
【発明の詳細な説明】
【技術分野】
【０００１】
この発明は、鋼製フレーム材上にデッキプレート等の屋根葺材と断熱材と防水シートとを設けてなる屋根パネルと鋼製の屋根梁との接合部構造に関する。
【背景技術】
【０００２】
従来、デッキプレート等を屋根葺材とした屋根パネルを鋼製の屋根梁の上に支持する場合、分別解体が可能なように、屋根パネルを屋根梁にボルトで接合している。屋根パネルは、鋼製のフレーム材の上に、屋根葺材と断熱材と防水シートとを一体に設けたものであり、工場で製作される。
上記屋根梁への屋根パネルのボルト接合において、従来は、図２３（Ａ）のように上部を上方に開口する溝形鋼からなる受け部５０ａとした受け材５０を屋根梁５１の上に嵩上げして固定している。この受け材５０の受け部５０ａに屋根パネルの鋼製フレーム材５３を重ねて、このフレーム材５３と受け材５０の受け部５０ａとをボルト接合している。受け材５０の受け部５０ａにはボルト挿通孔とシノ孔が設けられる。この場合、受け材５０の受け部５０ａは溝形鋼からなるので、この受け部５０ａに屋根パネルの鋼製フレーム材５３を重ねることで、フレーム材５３の大まかな位置決めとずれ止めが同時に行われる。ボルトの締め付けは、嵩上げした受け材５０の下部空間を利用して行われる。
【先行技術文献】
【特許文献】
【０００３】
【特許文献１】特開２００３−２９３５０８号公報
【発明の概要】
【発明が解決しようとする課題】
【０００４】
しかし、上記した屋根パネルと屋根梁の接合部構造では、図２３（Ｂ）のように、ボルト接合部が屋根梁５１の真上の位置となるため、ボルト５４の締め付けは、嵩上げした受け材５０の下部空間を利用して行わなければならず、ボルト締めに電動工具を使用することができず、非常に手間がかかっていた。
また、屋根パネルの吊り上げ時に吊りボルトを使用できず、ワイヤー・スリングで揚重しており、吊り揚げ作業にも手間がかかっていた。スリングで揚重する場合、屋根パネルが滑り不安定となるし、ワイヤーが外れる危険性もあり、作業性が悪く危険であった。
さらに、屋根梁５１の真上の位置にボルト接合部があるため、シノを用いることができず、屋根パネルのフレーム材５３に設けられたボルト挿通孔と受け材５０の受け部５０ａに設けられたボルト挿通孔を位置合わせする作業が困難であった。
【０００５】
この発明の目的は、屋根梁上への屋根パネルのボルト接合を作業性良く行える屋根パネルと屋根梁との接合部構造を提供することである。
この発明の他の目的は、現場での屋根パネルの吊り上げ作業を作業性良く安全に行える屋根パネルと屋根梁との接合部構造を提供することである。
【課題を解決するための手段】
【０００６】
この発明の屋根パネルと屋根梁との接合部構造は、鋼製の屋根梁上に屋根パネルを支持してなり、前記屋根パネルが、複数本の平行な鋼製のフレーム材上に屋根葺材と断熱材と防水シートとを設けてなる屋根構造における前記屋根パネルと屋根梁との接合構造であって、前記屋根パネルの各フレーム材は対応する屋根梁に沿って配置されて、これらの屋根梁上に位置し、前記屋根パネルの少なくとも一部において、この屋根パネルの前記フレーム材が前記屋根葺材よりも突出し、この屋根梁の上面および前記フレーム材の前記屋根葺材よりも突出した部分の下面に、それぞれ側方に突出して互いに重なる梁側取合金物およびパネル側結合片を設け、これら互いに重なる取合金物間に渡って挿通されたボルトにより、前記屋根パネルと前記屋根梁とを接合したことを特徴とする。
この構成によると、パネル側結合片が屋根パネルフレーム材の側方に突出し、梁側取合金物も屋根梁の側方に突出しているので、ボルトによるパネル側結合片と梁側取合金物との接合では、屋根パネルフレーム材および屋根梁の側方の下位置から電動工具を用いて容易に行うことができる。これにより、屋根梁上への屋根パネルのボルト接合を作業性良く行うことができる。
【０００７】
この発明において、前記梁側取合金物に、上方へ突出して前記屋根パネルの前記フレーム材の位置ずれを阻止するずれ止め材を設けても良い。
このように、梁側取合金物に屋根パネルフレーム材の位置ずれを阻止するずれ止め材を設けることにより、屋根パネルの設置時や設置後に、屋根パネルがずれ落ちる危険性を防止できる。
【０００８】
この発明において、前記屋根葺材がデッキプレートであって、その波山の並び方向が前記フレーム材と直交する方向とされ、前記フレーム材が前記デッキプレートの縁から突出し、このフレーム材の突出部分に、吊り索のフックを係合させる吊孔を設けても良い。  このように、屋根パネルフレーム材の屋根葺材からの突出部分に吊孔を設けることで、この吊孔に吊り索のフックを係合させて屋根パネルを屋根梁上に吊り上げることができる。このため、従来のようにワイヤー・スリングで屋根パネルを揚重する場合のように手間がかからず、また屋根パネルが滑って不安定となることがないので、現場での屋根パネルの吊り上げ作業を作業性良く安全に行うことができる。
【発明の効果】
【０００９】
この発明の屋根パネルと屋根梁との接合部構造は、鋼製の屋根梁上に屋根パネルを支持してなり、前記屋根パネルが、複数本の平行な鋼製のフレーム材上に屋根葺材と断熱材と防水シートとを設けてなる屋根構造における前記屋根パネルと屋根梁との接合構造であって、前記屋根パネルの各フレーム材は対応する屋根梁に沿って配置されて、これらの屋根梁上に位置し、前記屋根パネルの少なくとも一部において、この屋根パネルの前記フレーム材が前記屋根葺材よりも突出し、この屋根梁の上面および前記フレーム材の前記屋根葺材よりも突出した部分の下面に、それぞれ側方に突出して互いに重なる梁側取合金物およびパネル側結合片を設け、これら互いに重なる取合金物間に渡って挿通されたボルトにより、前記屋根パネルと前記屋根梁とを接合したため、屋根梁上への屋根パネルのボルト接合を作業性良く行うことができる。
【図面の簡単な説明】
【００１０】
【図１】この発明の一実施形態にかかる屋根パネルと屋根梁との接合部構造の概要を示す分解斜視図である。
【図２】この接合部構造が適用される屋根における屋根パネルの割付例を示す平面図である。
【図３】（Ａ）は同屋根パネル割付例において屋根パネルが隣接する部分での接合部構造の屋根パネル取付途中の断面図、（Ｂ）は取付完了時の断面図である。
【図４】（Ａ）は屋根パネルにおけるフレーム材の配置例を示す平面図、（Ｂ）はその側面図である。
【図５】（Ａ）は屋根パネルにおけるフレーム材の一構成例を示す平面図、（Ｂ）は同正面図、（Ｃ）は同左側面図、（Ｄ）は右側面図である。
【図６】屋根パネルにおけるフレーム材の他の構成例を示す平面図である。
【図７】屋根パネルにおけるフレーム材のさらに他の構成例を示す平面図である。
【図８】屋根パネルにおける断熱材の割付例を示す平面図である。
【図９】屋根パネルにおける絶縁シートおよび防水シートの割付例を示す平面図である。
【図１０】屋根パネルの一部を破断して示す斜視図である。
【図１１】屋根パネルの吊り上げ作業を示す斜視図である。
【図１２】屋根梁への屋根パネルのボルト接合作業を示す斜視図である。
【図１３】図２における屋根の左端部での屋根パネルの接合部構造を示す断面図である。
【図１４】図２における屋根の右端部での屋根パネルの接合部構造を示す断面図である。
【図１５】（Ａ）は図２におけるＡ部での屋根パネルと屋根梁との接合部構造の平面図、（Ｂ）は同接合部構造の断面図である。
【図１６】（Ａ）は図２におけるＢ部での屋根パネルと屋根梁との接合部構造の平面図、（Ｂ）は同接合部構造の断面図である。
【図１７】同接合部構造の斜視図である。
【図１８】（Ａ）は図２におけるＣ部での屋根パネルと屋根梁との接合部構造の平面図、（Ｂ）は同接合部構造の断面図である。
【図１９】（Ａ）は図２におけるＤ部での屋根パネルと屋根梁との接合部構造の平面図、（Ｂ）は同接合部構造の断面図である。
【図２０】（Ａ）は図２におけるＥ部での屋根パネルと屋根梁との接合部構造の平面図、（Ｂ）は同接合部構造の断面図である。
【図２１】同接合部構造での屋根梁側を示す斜視図である。
【図２２】（Ａ）は図２におけるＦ部での屋根パネルと屋根梁との接合部構造の平面図、（Ｂ）は同接合部構造の断面図である。
【図２３】従来例の説明図である。
【発明を実施するための形態】
【００１１】
この発明の一実施形態を図１ないし図２２と共に説明する。図１は、この実施形態の屋根パネルと屋根梁との接合部構造の概要を示す分解斜視図であり、図２は屋根における屋根パネルの割付の平面図を示す。
この屋根パネルと屋根梁との接合部構造は、鋼製の屋根梁１の上に屋根パネル２を支持する場合の接合部構造である。屋根パネル２は、複数本の平行な鋼製のフレーム材３上に、屋根葺材４と断熱材５と防水シート６とを設けてなる。屋根パネル２は工場で製作できるので、現場工期の短縮化が可能であり、現場での高所作業を低減して安全性の向上を図ることができる。屋根梁１は、屋根小梁等となる梁であって、例えば角形鋼管からなる。屋根パネル２のフレーム材３は溝形鋼からなり、屋根葺材４はデッキプレートからなるが、キーストンプレートであっても良い。断熱材５は例えば押出法ポリスチレンフォームからなる。
【００１２】
屋根パネル２の各フレーム材３は対応する屋根梁１に沿って配置され、それらの屋根梁１の上に位置する。屋根梁１の上面にはその側方に突出するように位置する複数の板状の梁側取合金物７が設けられる。また、屋根パネル２の一部または全部のフレーム材３の下面にはその側方に突出するように位置して前記各梁側取合金物７と互いに重なる複数の板状のパネル側結合片８が設けられる。これらの互いに重なる梁側取合金物７とパネル側結合片８にはボルト挿通孔９，１０がそれぞれ設けられ、これら両ボルト挿通孔９，１０に渡って挿通されたボルト１１（図３）により、屋根梁１と屋根パネル２とが接合される。図１の例では、屋根パネル２の３本のフレーム材３のうち、中央のフレーム材３と図の右側のフレーム材３とにパネル側結合片８が設けられている。中央のフレーム材３に設けられたパネル側結合片８は、フレーム材３の両側に突出し、右側のフレーム材３に設けられたパネル側結合片８は、パネル中央側となる片側のみに突出している。これらパネル側結合片８に対応して、梁側取合金物７についても、中央の屋根梁１の梁側取合金物７は両側に突出し、右側の屋根梁１の梁側取合金物７は片側のみに突出している。図の左側のフレーム材３にはパネル側結合片８が設けられておらず、屋根梁１の上面に接合された梁側取合金物７の前記屋根梁１の側方に突出する部分の上に、左側のフレーム材３が直接に載せられ、フレーム材３と梁側取合金物７とがボルト接合される。このボルト接合は、梁側取合金物７のボルト挿通孔９と、フレーム材３の底面に設けられたボルト挿通孔とに渡って挿通されるボルトにより行われる。
【００１３】
図３は、図２における２つの屋根パネル２，２がその幅方向に隣り合う例えばＡ部でのIII − III矢視断面図を示す。なお、図２の屋根パネル割付図において、１枚の屋根パネル２は例えば鎖線で示す矩形の大きさで表されている。図３（Ａ）では、隣り合う２つの屋根パネル２，２のうち片方の屋根パネル２が屋根梁１の上にボルト接合されており、もう片方の屋根パネル２は吊り上げられて接合される前の状態にある。屋根パネル２のデッキプレートからなる屋根葺材４の波山の並び方向はフレーム材３と直交する方向とされる。フレーム材３は前記デッキプレートの縁4 ａから例えば３０ｍｍ程度突出させてあり、このフレーム材３の突出部分に、吊り索４０のフック４１（図１）を係合させる吊孔１２が設けられている。この吊孔１２に、図１１のように吊り索４０のフック４１を係合させることで、図３（Ａ）のように屋根パネル２を屋根梁１の上に吊り上げることができる。このため、従来のようにワイヤー・スリングで屋根パネルを揚重する場合のように手間がかからず、非常に円滑に吊り上げ作業を行うことができ、工数を削減できる。また、吊り上げ時に、屋根パネル２が滑って不安定となることがないので、作業性が良く、脱落の危険性も解消できる。
【００１４】
吊り上げられた屋根パネル２は、図３（Ｂ）のようにそのパネル側結合片８が梁側取合金物７と重なるように、屋根梁１の上面にこれに沿ってフレーム材３が重なる状態に載せられ、パネル側結合片８と梁側取合金物７とがボルト１１で接合される。パネル側結合片８はフレーム材３の側方に突出し、梁側取合金物７も屋根梁１の側方に突出している。そのため、ボルト１１によるパネル側結合片８と梁側取合金物７との接合では、図１２のように屋根パネル２のフレーム材３および屋根梁１の側方の下位置から電動工具４２を用いて容易にボルト締めができ、ボルト接合の作業性を向上させることができる。また、屋根パネル２の位置合わせにシノが使えるので、この点でも作業性が向上する。さらに、上面が水平面とされた梁側取合金物７と下面が水平面とされたパネル側結合片８とで取り合いするため、屋根パネル２のスパン方向・桁方向への位置調整を容易に行うことができる。
隣り合う屋根パネル２，２の両断熱材５，５間には目地用断熱材１５が配置され、この目地用断熱材１５は、両屋根パネル２，２の屋根葺材４，４間に跨がって設置される断面ハット形の支持部材１４で支持される。支持部材１４は例えば亜鉛メッキ鋼板からなる。      
【００１５】
図４（Ａ）は屋根パネル２におけるフレーム材３の配置例の平面図を示し、図４（Ｂ）はフレーム材３に屋根葺材４を取り付けた状態の側面図を示す。このフレーム材配置例では、３つのフレーム材３が配置され、そのうち２つのフレーム材３にパネル側結合片８が設けられる。
図５（Ａ），（Ｂ），（Ｃ），（Ｄ）は前記フレーム材３の一構成例の平面図、正面図、左側面図、および右側面図を示す。この構成例では、フレーム材３の左端と右端より若干左寄りの位置に両側方に突出するパネル側結合片８が設けられている。
図６は前記フレーム材３の他の構成例の平面図を示す。この構成例では、フレーム材３の右端と左端より若干右寄りの位置に両側方に突出するパネル側結合片８が設けられている。
図７は前記フレーム材３のさらに他の構成例の平面図を示す。この構成例では、フレーム材３の右端と左端とに両側方に突出するパネル側結合片８が設けられている。
【００１６】
図８は、屋根パネル２の屋根葺材４の上に配置する断熱材５の割付例を平面図で示す。この例では、屋根葺材４上に５枚の断熱材５を屋根パネル２の長さ方向に縦に並べて配置している。図９は、前記断熱材５の上にさらに絶縁材１３を敷設し、この絶縁材１３をさらに防水シート６で覆った状態を平面図で示す。絶縁材１３は、屋根葺材４の四辺から外方にはみ出すように敷設され、図３のように断熱材５および屋根葺材４を貫通するタッピングねじ型のディスクビス１６で固定される。絶縁材１３は、例えば発泡ポリエチレン系樹脂シートからなる。図１０は、ディスクビス１６で絶縁材１３を断熱材５の上に固定した状態を斜視図で示している。ディスクビス１６は、その頭部１６ａをディスク形状としたものであり、そのディスク状頭部１６ａと絶縁材１３との間には補強シート１７が介在させてある。防水シート６はディスクビス１６の頭部１６ａを含めて絶縁材１３の上面を覆う。ディスクビス１６の頭部１６ａ表面には図示しない融着用樹脂がコーティングされ、ディスク状頭部１６ａを高周波加熱などすることにより、ディスク状頭部１６ａと防水シート６とが一体に固定される。
図３（Ｂ）のように、目地用断熱材１５の上面にも、屋根パネル２の絶縁材１３と連続するように絶縁材１３が敷設され、さらにその絶縁材１３が防水シート６で覆われる。
【００１７】
図１３は、図２の屋根における左端でのXIII−XIII矢視断面図を示す。左端の屋根パネル２にはその左辺から左側に延びる張出し部１８が設けられる。この張出し部１８は、断熱材支持部材１９、張出し部用断熱材２０、張出し部用縦板材２１、パネル支持用フレーム材２２などによって構成されている。断熱材支持部材１９は、屋根パネル２における屋根葺材４の上面に一端がビス２３で固定されて左側に延びる断面Ｌ字状の板材であり、この断熱材支持部材１９の上に屋根パネル２の断熱材５に繋がる張出し用断熱材２０が支持される。断熱材支持部材１９は例えば亜鉛メッキ鋼板からなる。張出し用断熱材２０の上面には、屋根パネル２の絶縁材１３に繋がる絶縁材１３が敷設される。張出し用縦板材２１は、断面Ｌ字状の接続金具２４およびビス２５，２６によって張出し用断熱材２０の左端に沿って立ち上がるように固定される。すなわち、接続金具２４の横片は絶縁材１３の上面に配置されてビス２５の貫通する絶縁材１３、張出し用断熱材２１および断熱材支持部材１９に固定される。また、接続金具２４の縦片は張出し用縦板材２１の内向き面に沿って配置されて張出し用縦板材２１にビス２６で固定される。接続金具２４は例えば塩ビ鋼板からなる。
さらに、パネル支持用フレーム材２２は前記張出し用縦板材２１の外向き面に沿って配置され、前記接続金具２４と共にビス２６で張出し用縦板材２１に固定される。パネル支持用フレーム材２２は例えば溝形鋼からなる。ビス２６で固定される接続金具２４の縦片の上面は被覆テープ２７で被覆される。被覆テープ２７は例えばブチルテープからなる。この張出し部１８の上面、つまり前記絶縁材１３上面の一部および接続金具２４の横片上面は、屋根パネル２の防水シート６に繋がる防水シート６で覆われる。また、張出し部１８の内向き縦面、つまり接続金具２４の縦片表面、被覆テープ２７の表面および張出し用縦板材２１の内向き面の一部は、立ち上がり用防水シート２８で覆われる。パネル支持用フレーム材２２には図示しない外壁パネル、庇パネル、水上パネルなどが取り付けられる。
【００１８】
図１４は、図２の屋根における右端でのXIV − XIV矢視断面図を示す。右端の屋根パネル２にもその右辺から右側に延びて図１３の場合と同様の張出し部１８が設けられる。その構造は図１３の場合と同様であり、ここでは説明を省略する。
【００１９】
図１５（Ａ）は、図２の屋根におけるＡ部での屋根パネル２のパネル側結合片８の平面図を示し、図１５（Ｂ）はＡ部でのXV−XV矢視断面図を示す。この場合、隣り合う２枚の屋根パネル２，２の側辺においてフレーム材３の先端に設けられたパネル側結合片８が互いに隣接しており、これらのパネル側結合片８は両側方に突出して、対応する屋根梁１の梁側取合金物７にボルト１１で接合されている。
【００２０】
図１６（Ａ）は、図２の屋根におけるＢ部での梁側取合金物７の平面図を示し、図１２（Ｂ）はＢ部でのXVI − XVI矢視断面図を示す。図１７は、Ｂ部の斜視図を示す。この場合、隣り合う４枚の屋根パネル２の隅部において、各フレーム材３の先端にはパネル側結合片８が設けられていない。これらの各フレーム材３の先端部は、対応する屋根梁１の上面にレベル調整板２９を介して設けられた１枚の梁側取合金物７で支持され、それぞれボルト１１によりその梁側取合金物７に接合される。レベル調整板２９の厚みはパネル側結合片８の厚みと同じに設定される。この場合の梁側取合金物７の上面の隣り合う屋根パネル２，２のフレーム材３，３を挟む中間位置には、上方に突出してフレーム材３の位置ずれを阻止するずれ止め材３０が設けられている。
このように、梁側取合金物７の上面の隣り合う屋根パネル２，２のフレーム材３，３を挟む中間位置にずれ止め材３０を設けることにより、屋根パネル２の設置時や設置後に、屋根パネル２がずれ落ちる危険性を防止できる。この場合に、梁側取合金物７を設けることで、屋根パネル１に対して両側のフレーム材３，３の位置をずらせているため、前記ずれ止め材３０を設けるスペースが、両側のフレーム材３，３の間に得られる。
【００２１】
図１８（Ａ）は、図２の屋根におけるＣ部での屋根パネル２のパネル側結合片８の平面図を示し、図１８（Ｂ）はＣ部でのXVIII − XVIII矢視断面図を示す。この場合、隣り合う２枚の屋根パネル２，２の側辺においてフレーム材３の先端に設けられたパネル側結合片８が互いに隣接しており、これらのパネル側結合片８は一側方に突出して、対応する屋根梁１の梁側取合金物７にボルト１１で接合されている。屋根梁１の上面には嵩上げ部材３１が設けられ、この嵩揚げ部材３１の上端に１枚の梁側取合金物７が設けられており、この１枚の梁側取合金物７に２枚のパネル側結合片８がボルト接合される。また、嵩揚げ部材３１の前記梁側取合金物７の突出側とは反対側の側面に、上方へ突出して屋根パネル２のフレーム材３の位置ずれを阻止するずれ止め材３０Ａが設けられている。これにより、屋根パネル２の設置時や設置後に、屋根パネル２がずれ落ちる危険性を防止できる。
【００２２】
図１９（Ａ）は、図２の屋根におけるＤ部での屋根パネル２のパネル側結合片８の平面図を示し、図１９（Ｂ）はＤ部でのXIX −XIX 矢視断面図を示す。この場合も、隣り合う２枚の屋根パネル２，２の側辺においてフレーム材３の先端に設けられたパネル側結合片８が互いに隣接しており、これらのパネル側結合片８は一側方に突出して、対応する屋根梁１の1 枚の梁側取合金物７にボルト１１で接合されている。この場合の屋根梁１は溝形鋼からなる。
【００２３】
図２０（Ａ）は、図２の屋根におけるＥ部での屋根パネル２のパネル側結合片８の平面図を示し、図２０（Ｂ）はＥ部でのXX−XX矢視断面図を示す。図２１は、Ｅ部における屋根梁１の斜視図を示す。この場合も、隣り合う２枚の屋根パネル２，２の側辺においてフレーム材３の先端に設けられたパネル側結合片８が互いに隣接しており、これらのパネル側結合片８は一側方に突出して、対応する屋根梁１の1 枚の梁側取合金物７にボルト１１で接合されている。また、屋根梁１の前記梁側取合金物７の突出側とは反対側の側面に、上方へ突出して屋根パネル２のフレーム材３の位置ずれを阻止するずれ止め材３０Ａが設けられている。これにより、屋根パネル２の設置時や設置後に、屋根パネル２がずれ落ちる危険性を防止できる。
【００２４】
図２２（Ａ）は、図２の屋根におけるＦ部での屋根パネル２のパネル側結合片８の平面図を示し、図２２（Ｂ）はＦ部でのXXII−XXII矢視断面図を示す。この場合も、隣り合う２枚の屋根パネル２，２の側辺においてフレーム材３の先端に設けられたパネル側結合片８が互いに隣接しており、これらのパネル側結合片８は一側方に突出して、対応する屋根梁１の1 枚の梁側取合金物７にボルト１１で接合されている。また、屋根梁１の前記梁側取合金物７の突出側とは反対側の側面に、上方へ突出して屋根パネル２のフレーム材３の位置ずれを阻止するずれ止め材３０Ａが設けられている。これにより、屋根パネル２の設置時や設置後に、屋根パネル２がずれ落ちる危険性を防止できる。
【００２５】
この屋根パネルと屋根梁との接合構造によると、上記した接合作業の作業性が向上するため、コンビニ等の規模の建物の屋根工事でのレッカー作業を一日で完了させることができる。
【符号の説明】
【００２６】
１…屋根梁
２…屋根パネル
３…フレーム材
４…屋根葺材
５…断熱材
６…防水シート
７…梁側取合金物
８…パネル側結合片
９，１０…ボルト挿通孔
１１…ボルト
１２…吊孔
３０，３０Ａ…ずれ止め材
４０…吊り索
４１…フック
【図１】
0005441659.tif 000002
【図２】
0005441659.tif 000003
【図３】
0005441659.tif 000004
【図４】
0005441659.tif 000005
【図５】
0005441659.tif 000006
【図６】
0005441659.tif 000007
【図７】
0005441659.tif 000008
【図８】
0005441659.tif 000009
【図９】
0005441659.tif 000010
【図１０】
0005441659.tif 000011
【図１１】
0005441659.tif 000012
【図１２】
0005441659.tif 000013
【図１３】
0005441659.tif 000014
【図１４】
0005441659.tif 000015
【図１５】
0005441659.tif 000016
【図１６】
0005441659.tif 000017
【図１７】
0005441659.tif 000018
【図１８】
0005441659.tif 000019
【図１９】
0005441659.tif 000020
【図２０】
0005441659.tif 000021
【図２１】
0005441659.tif 000022
【図２２】
0005441659.tif 000023
【図２３】
0005441659.tif 000024